(57)【要約】      （修正有）【課題】屋外において、非常物資を災害時に使用可能な状態を保ちながら保管することが可能であり、収容空間を効率よく確保可能な下部収容空間を備えた物置を提供する。【解決手段】床部材１２と、床部材を嵌め込み可能な枠部材１０と、床部材の上部に上部収容空間Ｓ１を有する上構造部Ａと、上構造部と連結して上構造部の下に配され、上方に向けて開口した開口部を有する下部収容空間Ｓ２を備えるとともに、開口部を密封可能な蓋部材２４とを備えた下構造部Ｂと、蓋部材が開口部を密封している場合に、床部材が枠部材に嵌め込み可能となるように、床部材と蓋部材が嵌め合わされる嵌め合い構造を有している。【選択図】図７
0003156992.tif 000002
【実用新案登録請求の範囲】
【請求項１】
屋外に設置される物置であって、
床部材と、床部材を嵌め込み可能な枠部材とを有し、床部材の上部に上部収容空間を有する上構造部と、
該上構造部の下に配され、上方に向けて開口した開口部を有する下部収容空間を備えるとともに、該開口部を密封可能な蓋部材とを備えた下構造部と、
蓋部材が開口部を密封している場合に、床部材が枠部材に嵌め込み可能となるように、床部材と蓋部材とが嵌め合わされる嵌め合い構造を有している
ことを特徴とする下部収容空間を備えた物置。
【請求項２】
嵌め合い構造は、
蓋部材の上面または床部材の下面のいずれか一方に設けられ、他方に向けて突出した凸部と、
いずれか他方に設けられ、前記凸部と嵌め合い可能な凹部とによって成る
ことを特徴とする請求項１に記載の下部収容空間を備えた物置。
【請求項３】
屋外に設置される物置であって、
床部材と、床部材を嵌め込み可能な枠部材とを有し、床部材の上部に上部収容空間を有する上構造部と、
該上構造部の下に配され、筒状に延出するとともに上方に向けて開口した開口部を有する下部収容空間を備えるとともに、該開口部を密封可能な蓋部材とを備えた下構造部とを有し、
床部材は、開口部よりも大きく形成された貫通穴を有し、
開口部は、その上端部が貫通穴に挿通されて配され、
蓋部材が開口部を密封する際には、枠部材に嵌め込まれた床部材の貫通穴の内周面と、蓋部材の外周面とが嵌め合わされる嵌め合い構造を有している
ことを特徴とする下部収容空間を備えた物置。
【請求項４】
屋外に設置される物置であって、
床部材と、床部材嵌め込み可能な枠部材とを有し、床部材の上部に上部収容空間を有する上構造部と、
該上構造部の下に配され、上方に向けて開口した開口部を有する下部収容空間を備えるとともに、該開口部を密封可能な蓋部材とを備えた下構造部とを有し、
床部材は、開口部と同一又は大きく形成された貫通穴を有し、
開口部は、貫通穴の直下に配され、
蓋部材が開口部を密封する際には、枠部材に嵌め込まれた床部材の貫通穴の内周面と、蓋部材の外周面とが嵌め合わされる嵌め合い構造を有している
ことを特徴とする下部収容空間を備えた物置。
【請求項５】
下部収容空間は地下に配され、上部収容空間は地上に配されていることを特徴とする請求項１乃至請求項４のいずれかに記載の下部収容空間を備えた物置。
【請求項６】
下部収容空間と上部収容空間は地上に配されていることを特徴とする請求項１乃至請求項５のいずれかに記載の下部収容空間を備えた物置。
【考案の詳細な説明】
【技術分野】
【０００１】
本考案は、非常物資を災害時に使用可能な状態を保ちながら保管することの可能な物置に関する。
【背景技術】
【０００２】
例えば、巨大地震や台風などの災害に備えるため、非常用の食料や衣料品、応急手当を行なうための医療用品などの非常物資を屋外に備蓄しておくことが有効であるとされている。これは、災害によって住居が倒壊するような被害を被った場合には、住居内に非常物資を備蓄しても、倒壊した住居の柱などが障害となって非常物資を取り出すことが非常に困難となるからである。
このような事態を避けるためには、非常物資を屋外に保管しておくことが好ましく、例えば、屋外に物置を設置して、その物置に非常物資を保管する場合がある。
【０００３】
このような物置は、従来から、特許文献１に記載されるような組立式のものが周知であり、その構成は、例えば、図１４及び図１５に示すように、地面に打った基礎Ｆに、物置のベースとなる枠部材１０を固定し、この枠部材１０に床面部材１２を固定するとともに、枠部材１０に複数の柱部材１１，１１，１１，１１を建て付け固定されている。また、物置の壁となる板状の壁面部材１３が前記複数の柱部材１１，１１，１１，１１間にそれぞれ固定され、さらに、柱部材１１，１１，１１，１１と壁面部材１３，１３，１３・・・との上部に屋根部材１４が固定されている。
【０００４】
この場合、前記床面部材１２と壁面部材１３，１３，１３・・・と屋根部材１４とに囲まれた内側の空間が、収容物を収容する収容空間Ｓを形成している。なお、物置の壁面部材１３，１３，１３・・・の少なくとも一面には、開閉自在な扉Ｄを構成して、物置の収容空間Ｓへの収容物の出し入れを可能にしている。
【０００５】
しかし、上記のような、組立式の物置は堅牢ではあるが、簡易な構造で、さらに通気性が重視されていることもあり、屋外という設置環境から、天候や季節の変化による温度変化や湿気が、庫内の収容空間に及んでしまう問題があった。
例えば、屋外に設置された従来周知の屋外用組立式物置に、非常時のための保存食料や衣類などを収納した場合には、屋外用組立式物置は、物置内外の気密を保つような構造ではないため、収容物に天候や季節の変化による温度変化や湿気が及んでしまう。
【０００６】
具体的には、夏季の日射によって庫内温度が極端な高温になるため、収納物の温度が高くなり、保存食料などの場合には早期に痛んでしまう虞れがある。また、季節の変わり目の長雨や台風などの荒天候によって庫内に湿気が侵入するため、収納物が湿気に晒されて、衣類などの場合には、カビが生えたり濡れたりすることにより使用に耐えなくなってしまう虞がある。また、冬季の外気温の低下によって缶や瓶の内容物が凍結して、缶や瓶が破裂するなど非常時に備えることができない虞もある。
【０００７】
また、庫内温度の変化や湿気を避けるために、物置の収容空間に密封性及び断熱性のある容器を設置することも考えられるが、その場合には、物置の収容空間をむやみに消費してしまい、収容効率が悪化してしまう問題が生じる。このため、物置としての収容空間を確保したまま、非常物資を災害時に使用可能な状態を保ちながら保管することが可能な物置が望まれているが、現在、そのような物置は知られていない。
【先行技術文献】
【特許文献】
【０００８】
【特許文献１】特開２００１−１４６８５０号公報
【考案の概要】
【考案が解決しようとする課題】
【０００９】
本考案は、上記問題点を解決するためになされており、その目的は、屋外において、非常物資を災害時に使用可能な状態を保ちながら保管することが可能であり、収容空間を効率よく確保可能な下部収容空間を備えた物置を提供することである。
【課題を解決するための手段】
【００１０】
上記課題を達成するために、本考案が成した技術的手段は、屋外に設置される物置であって、床部材と、床部材を嵌め込み可能な枠部材とを有し、床部材の上部に上部収容空間を有する上構造部と、該上構造部の下に配され、上方に向けて開口した開口部を有する下部収容空間を備えるとともに、該開口部を密封可能な蓋部材とを備えた下構造部と、蓋部材が開口部を密封している場合に、床部材が枠部材に嵌め込み可能となるように、床部材と蓋部材とが嵌め合わされる嵌め合い構造を有していることを特徴とする下部収容空間を備えた物置としたことである。
その場合、嵌め合い構造は、蓋部材の上面または床部材の下面のいずれか一方に設けられ、他方に向けて突出した凸部と、いずれか他方に設けられ、前記凸部と嵌め合い可能な凹部とによって成る場合もある。
【００１１】
このような構成によれば、蓋部材の上面と床部材の下面の凸部と凹部とが嵌め合わされて、床部材を枠部材に嵌め込み可能であれば、蓋部材が、下部収容空間の開口部を確実に密封していることになるので、収容空間の環境に天候や季節の変化による温度変化や湿気が及ぶことなく、下部収容空間に保管した非常物資を保管することができる。
【００１２】
また、屋外に設置される物置であって、床部材と、床部材を嵌め込み可能な枠部材とを有し、床部材の上部に上部収容空間を有する上構造部と、該上構造部の下に配され、上方に向けて開口した開口部を有する下部収容空間を備えるとともに、該開口部を密封可能な蓋部材とを備えた下構造部とを有し、  該上構造部の下に配され、筒状に延出するとともに上方に向けて開口した開口部を有する下部収容空間を備えるとともに、該開口部を密封可能な蓋部材とを備えた下構造部とを有し、床部材は、開口部よりも大きく形成された貫通穴を有し、開口部は、その上端部が貫通穴に挿通されて配され、蓋部材が開口部を密封する際には、枠部材に嵌め込まれた床部材の貫通穴の内周面と、蓋部材の外周面とが嵌め合わされる嵌め合い構造を有していることを特徴とする下部収容空間を備えた物置とする場合もある。
【００１３】
このような構成によれば、蓋部材が床部材の貫通穴と嵌め合わされている場合には、蓋部材が下部収容空間の開口部を確実に密封するので、収容空間の環境に天候や季節の変化による温度変化や湿気が及ぶことなく、下部収容空間に保管した非常物資を保管することができる。また、下部収容空間から上方に延出した開口部は、その上端部が貫通穴に挿通されて配されているので、蓋部材で開口部を密封する際に嵌め込み易く、さらに、下部収容空間へ収容する際に開口部と貫通穴の隙間に物資を誤って落としてしまう虞も少ない。
【００１４】
また、屋外に設置される物置であって、床部材と、床部材嵌め込み可能な枠部材とを有し、床部材の上部に上部収容空間を有する上構造部と、該上構造部の下に配され、上方に向けて開口した開口部を有する下部収容空間を備えるとともに、該開口部を密封可能な蓋部材とを備えた下構造部とを有し、床部材は、開口部と同一又は大きく形成された貫通穴を有し、開口部は、貫通穴の直下に配され、蓋部材が開口部を密封する際には、枠部材に嵌め込まれた床部材の貫通穴の内周面と、蓋部材の外周面とが嵌め合わされる嵌め合い構造を有していることを特徴とする下部収容空間を備えた物置とする場合もある。
【００１５】
このような構成によれば、蓋部材が床部材の貫通穴と嵌め合わされている場合には、蓋部材が下部収容空間の開口部を確実に密封するので、収容空間の環境に天候や季節の変化による温度変化や湿気が及ぶことなく、下部収容空間に保管した非常物資を保管することができる。また、開口部は、貫通穴の直下に配されているので、開口部を密封する蓋部材の形状の自由度が高くなる。
【００１６】
また、上記下部収容空間を備えた物置において、下部収容空間は地下に配され、上部収容空間は地上に配されている場合もあり、或いは、下部収容空間と上部収容空間は地上に配されている場合もある。
【考案の効果】
【００１７】
本考案によれば、屋外において、非常物資を災害時に使用可能な状態を保ちながら保管することが可能であり、収容空間を効率よく確保可能な下部収容空間を備えた物置を提供することができる。
【図面の簡単な説明】
【００１８】
【図１】実施例１による下部収容空間を備えた物置の全体構造を説明する斜視図である。
【図２】実施例１による下構造部を説明する斜視図であって、蓋部材が開口から取り外された状態を示す。
【図３】実施例１による下構造部を説明する斜視図であって、蓋部材が開口を密封した状態を示す。
【図４】実施例１による下部収容空間を備えた物置の下構造部の開口の段差周辺の構造を説明する断面図であって、蓋部材が開口を密封した状態を示す。
【図５】実施例１による下部収容空間を備えた物置を説明する一部省略斜視図であって、床面部材が枠部材から取り外された状態を示す。
【図６】実施例１による下部収容空間を備えた物置を説明する一部省略斜視図であって、床面部材が枠部材に固定された状態を示す。
【図７】実施例１による下部収容空間を備えた物置の概略構造を説明する断面である。
【図８】実施例２による下構造部を説明する斜視図であって、蓋部材が開口から取り外された状態を示す。
【図９】実施例２による下部収容空間を備えた物置を説明する一部省略斜視図であって、床面部材が枠部材から取り外された状態を示す。
【図１０】実施例２による下部収容空間を備えた物置を説明する一部省略斜視図であって、床面部材が枠部材に固定され、蓋部材が開口から取り外された状態を示す。
【図１１】実施例２による下部収容空間を備えた物置を説明する一部省略斜視図であって、床面部材が枠部材に固定され、蓋部材が開口に嵌め込まれた状態を示す。
【図１２】実施例２による下部収容空間を備えた物置の概略構造を説明する断面である。
【図１３】下部収容空間を備えた物置をシェルターとして使用する場合の好ましい設置例を示す概略断面図である。
【図１４】従来の物置の外観を示す斜視図である。
【図１５】従来の物置の構造を示す一部省略斜視図である。
【考案を実施するための形態】
【００１９】
以下、本考案に係る下部収容空間を備えた物置の一実施の形態について、添付図面に基づいて説明する。なお、本実施形態は本考案の一実施形態にすぎず、何等これらに限定して解釈されるものではなく、本考案の範囲内で設計変更可能である。
【実施例１】
【００２０】
本実施例による下部収容空間を備えた物置１は、図１に示すように、地上に配されて、上部収容空間Ｓ１を構成する上構造部Ａと、上構造部Ａの下方の地下に配されて、下部収容空間Ｓ２を構成する下構造部Ｂとを有している。
【００２１】
上構造部Ａの基本的な構成は、前述した、従来の組立式物置と同様であって、枠部材１０に床面部材１２を固定するとともに、枠部材１０に複数の柱部材１１，１１，１１，１１を建て付け固定されている。また、物置１の壁となる板状の壁面部材１３が前記複数の柱部材間にそれぞれ固定され、さらに、柱部材１１，１１，１１，１１と壁面部材１３，１３，１３・・・との上部に屋根部材１４が固定されている。
また、前記床面部材１２と壁面部材１３，１３，１３・・・と屋根部材１４とに囲まれた内側の空間が、上部収容空間Ｓ１を形成している。
【００２２】
また、本実施例では、枠部材１０は、床面部材１２よりも大きな外形を有するとともに、所定の幅を有する枠によって形成されており、その平面視が「ロ」字型になっている。この枠部材１０は、後述する下構造部Ｂの下構造部本体２０の上面２１に載置されるとともに、該下構造部本体２０の鍔部２１ａに固定される。その固定方法については、下構造部Ｂの説明において詳述する。
【００２３】
床面部材１２は、図５乃至図７に示すように、上記枠部材１０の「ロ」字型の枠の中抜き部分を覆って枠部分に掛かる大きさの外形を有する板状に形成されている。
また、床面部材１２の下面１２ａには、上記枠部材１０の内側に嵌まるように形成された位置決め部材１２ｂが配されている。具体的には、位置決め部材１２ｂは、上記枠部材１０よりも僅かに小さな外形を有する「ロ」字型の枠が形成されており、この位置決め部材１２ｂの「ロ」字型の枠の外側面１２ｃが、枠部材１０の「ロ」字型の枠の内側面１０ａと嵌め合わされる。これにより、嵌め合わされた床面部材１２が位置決めされる（図５及び図６参照）。
また、床面部材１２と枠部材１０は、双方の重なり部分にボルト穴が設けられており、そのボルト穴にボルトが締め込まれることにより固定されている。また、ボルトを取り外すことにより、床面部材１２を枠部材１０からずらして、下構造部Ｂへアクセス可能となる。
【００２４】
柱部材１１，１１，１１，１１と壁面部材１３，１３，１３・・・及び屋根部材１４については、前述した従来の組立式の物置の構造と同様であるので、ここでは説明を省略する。また、設置現場の環境や使用状態に応じて、窓部材や換気口等を設けることも自由であり、扉等においても自由に設定されれば良い。
なお、本実施例では、一例として上記構成を備えた上構造部Ａを想定したが、上構造部Ａは、上記床面部材１２と枠部材１０を備えていればどのような構成であっても良い。
【００２５】
下構造部Ｂは、下構造部本体２０と、下構造部本体２０の内側に配され、開口部２２を備えた下部収容空間Ｓ２と、該下部収容空間Ｓ２の開口部２２を閉塞する蓋部材２４とで構成されている。
下構造部本体２０は、略方形の外形形状をしており、その上面２１が地表面（図示せず）と略同一高さとなるように地中に設置される。また、下構造部本体２０の上面２１側は、該上面２１から下方向に所定の厚みを有した鍔部２１ａが張り出している。なお、本実施例では、下構造部本体２０は、プレキャストコンクリート（Ｐｒｅｃａｓｔ  Ｃｏｎｃｒｅｔｅ）工法が採用されており、予め設置可能な形状に成形されて、設置現場に配送される。
また、下部構造部本体２０は、上記プレキャストコンクリートで成形される場合に限定されず、他の素材が採用されることにより成形されていても良い。例えば、下部構造部本体２０の全体が、繊維強化プラスチック（ＦＲＰ：Ｆｉｂｅｒ  Ｒｅｉｎｆｏｒｃｅｄ  Ｐｌａｓｔｉｃｓ）によって成形されていても良い。
【００２６】
前記上構造部Ａの枠部材１０は、前記下構造部本体２０の上面２１の鍔部２１ａに強固に固定される。具体的には、本実施例では、Ｌ型の金具の一辺側が、枠部材１０の側面にボルト留めされるとともに、他辺側が、下構造部本体２０の上面２１にボルト留めされることにより一体に固定される。また、このＬ型の金具による固定手段は枠部材１０の周縁に沿うように所定間隔で複数配され、夫々の金具が枠部材１０と下構造部本体２０の上面２１にボルト留めされることにより、強固に固定される。
【００２７】
また、下構造部Ｂと上構造部Ａとが一体に強固に固定されることにより、地中に設置される下構造部Ｂが、上構造部Ａの基礎として機能する。これにより、地震や台風などの天災が直撃することがあっても、下構造部Ｂが地中で支えるため、上構造部Ａが飛ばされたり倒壊したりすることを極力防止することができる。なお、枠部材１０と下構造部本体２０との固定方法は、これに限定されるものではなく、枠部材１０と下構造部本体２０が強固に固定されれば、他の固定手段が用いられても良い。
【００２８】
下部収容空間Ｓ２は、前記下構造部本体２０の内側に形成されており、図２中、左右方向の面と奥行き方向の面及び下面からなる略方形の空間である。
また、その上側が下構造部本体２０の上面２１に開口した開口部２２を有している。他の５面（左右方向面と奥行き方向の面と下面）は、下構造部本体２０の外面２３間に所定の厚みを有し、さらに、下構造部本体２０よりも小さく形成されている。なお、上記所定の厚みとは、下構造部Ｂが所望の強度を有して、上構造部Ａを支え得る程度の厚みが設定されていれば良い。
下部収容空間Ｓ２の最大の容積は、下構造部本体２０の外面２３間の所定の厚みによって決定づけられることになるが、その最大の容積の範囲内で自由に設定すればよいので、ここでは特に具体的な数値は限定しない。
【００２９】
また、下部収容空間Ｓ２は、下構造部本体２０は、プレキャストコンクリート工法によって成形される際に、下構造部本体２０の内側に形成される。なお、下部収容空間Ｓ２の開口部２２を除く内周面には、繊維強化プラスチック（ＦＲＰ）が隙間なく覆っている。これにより、地下収納空間Ｓ２の水密性が保たれる。本実施例では、下部収容空間Ｓ２の内周面をＦＲＰで覆った例を説明したが、これに代えてシート状のアルミニウムが隙間無く貼られていても良い。この場合には、水密性に加えて断熱性も確保することができる。
【００３０】
蓋部材２４は、所定の厚さを持った板状に形成されており、下部収容空間Ｓ２の開口部２２に嵌め込まれることにより、開口部２２を閉鎖して下部収容空間Ｓ２を密封する。また、前記開口部２２は、下部収容空間Ｓ２の水平方向の大きさよりも大きく形成されることによって、開口部２２に連続した段差２３ａを形成している。
【００３１】
また、蓋部材２４は、前記段差２３ａによって大きく形成された水平方向の大きさよりも僅かに小さく形成されることによって、蓋部材２４を開口部２２に嵌め込んだ際に、蓋部材２４の周辺部が段差２３ａに引っ掛かって、蓋部材２４全体が支持される。なお、蓋部材２４は、本実施例では、プレキャストコンクリート工法により、予めコンクリートで所定の大きさに形成されている。また、蓋部材２４は、上記プレキャストコンクリートで成形される場合に限定されず、他の素材が採用されることにより成形されていても良い。例えば、蓋部材２４の全体が、繊維強化プラスチック（ＦＲＰ）によって成形されていても良い。
また、蓋部材２４の下面２４ｂには、前述の下部収容空間Ｓ２の内周面と同様に、繊維強化プラスチック（ＦＲＰ）が隙間なく覆っている。なお、ＦＲＰに代えてシート状のアルミニウムを用いることが可能である。
【００３２】
前記下部収容空間Ｓ２の開口部２２の段差２３ａには、所定の間隔でネジ穴２３ｂが形成されており、蓋部材２４の外周側には、蓋部材２４を前記開口部２２に嵌め込んだ際に、前記開口部２２のネジ穴２３ｂが相当する位置に、蓋部材２４の上面２４ａから下面２４ｂを貫通してネジ穴２４ｃが形成されている。図４の段差２３ａ周辺の拡大断面図に示すように、このネジ穴２３ｂ及びネジ穴２４ｃには、蓋部材２４を前記開口部２２に嵌め込んだ後に、締結ボルト２４ｄを締め込むことによって、蓋部材２４が下部収容空間Ｓ２を閉塞して密封することができる。また、ボルト２４ｄを取り外すことにより、蓋部材２４を開口部２２からずらして、下部収容空間Ｓ２を開放することが可能となる。
【００３３】
また、図４の段差２３ａ周辺の拡大断面図に示すように、蓋部材２４の下面２４ｂには、シール機構２５が形成されている。具体的には、シール機構２５は、蓋部材２４の下面２４ｂに形成される溝２５ａと、該溝２５ａに嵌め込まれるパッキン２５ｂとで構成されている。
溝２５ａは、蓋部材２４を前記下部収容空間Ｓ２の開口部２２に嵌め込んだ際に、蓋部材２４の下面２４ｂで、開口部２２の段差２３ａが相当する位置に形成されている。
パッキン２５ｂは、二又の舌部２５ｃ，２５ｃを形成する断面（逆Ｙ字型の断面形状）をしており、蓋部材２４を前記開口部２２に嵌め込んだ際に、開口部２２の段差２３ａと当接する側（図４では下方）に、前記二又の舌部２５ｃ，２５ｃが突出するように、蓋部材２４の下面２４ｂに形成される溝２５ａに嵌め込まれている。
【００３４】
蓋部材２４を前記開口部２２に嵌め込んで、前記締結ボルトを締め込んだ際には、パッキン２５ｂの二又の舌部２５ｃ，２５ｃが押し潰されることにより、舌部２５ｃ，２５ｃ間の空気が押し出され、吸盤の如く吸い付いて、段差２３ａに密着する。これにより、前記下部収容空間Ｓ２が密封されるので、外部の湿気や水分や異物などが下部収容空間Ｓ２に侵入することを防止することができる。また、パッキン２５ｂは、熱可塑性エラストマーを成形したものが使用されている。
なお、本実施例では、二又の舌部２５ｃ，２５ｃの断面形状を備えたパッキン２５ｂを使用した例を説明したが、これに限定されず、パッキン２５ｂは、通常の円形の断面形状を備えたものが使用されていても良い。また、パッキンの材質についても、前記下部収容空間Ｓ２を長期間密封し得る耐久性を備えていれば、他の材質が選択されていても良い。
【００３５】
蓋部材２４の上面２４ａには、下部収容空間Ｓ２に収容した収容物を書き留めておくためのボード２４ｅが貼り付けられている。これにより、ボード２４ｅの表示を見れば、蓋部材２４を開くことなく下部収容空間Ｓ２にどのような収容物が収容されているか確認することができる。
【００３６】
また、下構造部Ｂの蓋部材２４と、上構造部Ａの床面部材１２とは、上構造部Ａの床面部材１２を枠部材１０に固定した際に、互いに嵌め合わされる嵌め合い構造３０を形成している。この嵌め合い構造３０は、蓋部材２４の上面２４ａに形成された凸部３０ａと、床面部材１２の下面１２ａに形成された凹部３０ｂとによって構成されている（図５及び図７参照）。
凸部３０ａは、蓋部材２４の上面２４ａの中央を通るように、対向する２辺に差し渡されて棒状に形成されるとともに、上面２４ａから上方に向けて突出している。また、凸部３０ａの突出している寸法は、下構造部Ｂの蓋部材２４の上面２４ａと上構造部Ａの床面部材１２の下面１２ａとの距離よりも小さい寸法に設定されている。
凹部３０ｂは、上構造部Ａの床面部材１２の下面１２ａであって、上構造部Ａの床面部材１２を枠部材１０に固定した際に、前記凸部３０ａが相当する位置に配されている。具体的には、２つの棒状の凸部３０ｃと凸部３０ｄが所定の間隔を空けて配されることにより、凸部３０ｃと凸部３０ｄとの間に凹部３０ｂが形成されている。
なお、凸部３０ｃと凸部３０ｄが配される所定の間隔は、前記凸部３０ａの幅よりも僅かに大きな寸法に設定されている。また、凸部３０ｃと凸部３０ｄの突出している寸法は、下構造部Ｂの蓋部材２４の上面２４ａと上構造部Ａの床面部材１２の下面１２ａとの距離よりも小さい寸法に設定されている。
【００３７】
このように嵌め合い構造３０が構成されることにより、上構造部Ａの床面部材１２を枠部材１０に固定した際に、蓋部材２４の上面２４ａの凸部３０ａが床面部材１２の下面１２ａの凹部３０ｂに噛合わされることとなる。言い換えれば、凸部３０ａが凹部３０ｂに噛合わされない場合には、床面部材１２を枠部材１０に固定することができない（図７参照）。
すなわち、蓋部材２４が、下構造部本体２０の開口部２２に完全に嵌め込まれていない場合には、蓋部材２４と開口部２２との位置関係にずれが生じるので、凸部３０ａと凹部３０ｂの位置が合わず、凸部３０ａを凹部３０ｂに噛合わすことができない。これにより、蓋部材２４がずれて隙間が生じたままで、床面部材１２を固定してしまうような事態を防止することができる。
【００３８】
下部収容空間Ｓ２には、収容物として、被災時に使用する非常物資が備蓄として収容されることが想定されるため、非常物資の定期的な補充や交換の目的以外では、蓋部材２４が開けられることは稀であり、ある程度の期間は床面部材１２が固定されたままで、専ら上部収容空間Ｓ１のみが使用される。
下部収容空間Ｓ２はこのような目的で使用されるため、蓋部材２４が正しい位置に固定され、下部収容空間Ｓ２の密封性が確保されていることが重要であり、万が一、蓋部材２４がずれて隙間が生じたままで、床面部材１２が固定されなかった場合に生じる問題、すなわち、下部収容空間Ｓ２に湿気や雨水が侵入して、非常物資が、湿気や水分によって汚損や劣化が進み、被災時に使用することができなくなってしまうような問題を防止することができる。
嵌め合い構造３０によって、床面部材１２を固定することができた場合には、蓋部材２４が正しい位置に固定され、下部収容空間Ｓ２の密封性が確保されるので、使用者の作業ミスや不注意を防止することができるとともに、蓋部材２４の固定位置を確認する手間を省くことができる。
【００３９】
なお、本実施例では、嵌め合い構造３０が、凸部３０ｃと凸部３０ｄとによる凹部３０ｂと、凸部３０ａとによって構成された例を説明したが、嵌め合い構造３０は、上構造部Ａの床面部材１２を枠部材１０に固定した際に、床面部材１２と蓋部材２４とが互いに噛合う構造であればこれに限定されず、他の嵌め合い構造が採用されていても良い。
例えば、図示を省略するが、円形の凸部３０ａと該凸部３０ａを取り囲むように形成された中抜きの円形をした円座型の凹部３０ｂとで形成されていても良い。また、本実施例では、凸部３０ａが、蓋部材２４の上面２４ａに形成され、凹部３０ｂが、床面部材１２の下面１２ａに形成された場合を説明したが、これに限定されず、凸部３０ａが、床面部材１２の下面１２ａに形成され、凹部３０ｂが、蓋部材２４の上面２４ａに形成されていても良い。
【実施例２】
【００４０】
本実施例による下部収容空間を備えた物置１では、前述した実施例１の構成とは、下部収容空間Ｓ２の開口部２２の構成と、上構造部Ａの床面部材１２と、下構造部Ｂの蓋部材２４と、嵌め合い構造３０が異なる。なお、他の構成については、実施例１の構成と同様であるので、同一の符号を用いることでその説明を省略し、ここでは、本実施例の特徴部分である上記構成を中心に説明する。
【００４１】
本実施例においても、下構造部Ｂは、下構造部本体２０と、下構造部本体２０の内側に配され、開口部４０を備えた下部収容空間Ｓ２と、該下部収容空間Ｓ２の開口部４０を閉塞する蓋部材２４とで構成されている。
本実施例の下部収容空間Ｓ２の形状は、図８に示すように、本実施例の開口部４０の形状を除き、前述した実施例１の下部収容空間Ｓ２の形状と同一である。開口部４０は、マンホール型の円形の開口に形成される
また、前述した実施例１の下部収容空間Ｓ２では、下部収容空間Ｓ２の上側が下構造部本体２０の上面２１に開口して開口部を形成していたが、本実施例の下部収容空間Ｓ２の開口部４０は、実施例１の開口部２２よりも小さな円形に形成されているので、左右方向の面の上端部と奥行き方向の面の上端部から円形の開口部４０まで、連続面が構成されることにより、下部収容空間Ｓ２の天井を形成している。
【００４２】
開口部４０は、下構造部本体２０の上面２１から上方に向けて所定の高さ延出した、筒状部４２を有している。また開口部４０の筒状部４２の上端部４１には、蓋部材５０がねじ込まれ、下部収容空間Ｓ２を密封する。
【００４３】
蓋部材５０は、上端部４１の外径よりも僅かに大きな円形の板状に形成されるとともに、蓋部材５０の外径側には、下方向に環状に突出した突出環５２が形成されている。また、突出環５３の内径面には、ネジ部（図示せず）が形成されるとともに、上端部４１の外周面４３には、蓋部材５０がねじ込まれるネジ部（図示せず）が形成されることにより、開口部４０の筒状部４２の上端部４１に、蓋部材５０をねじ込むことが可能になっている。
なお、蓋部材５０の上面５１には、下部収容空間Ｓ２に収容した収容物を書き留めておくためのボード２４ｅが貼り付けられている。
【００４４】
また、開口部４０が下構造部本体２０の上面２１から上方に向けて突出する突出量は、後述する蓋部材５０が開口部４０の筒状部４２の上端部４１にねじ込まれた場合に、蓋部材５０の上面５１が床面部材６０の上面２１ｂと同じ高さなるようにするため、上構造部Ａの床面部材６０を枠部材１０に固定した場合に、床面部材６０の上面２１ｂよりも僅かに低くなる寸法に設定されている。
【００４５】
本実施例の下部収容空間Ｓ２は、下構造部本体２０は、プレキャストコンクリート工法によって成形される際に、下構造部本体２０の内側に形成され、その内周面に、繊維強化プラスチック（ＦＲＰ）が隙間なく覆っている。なお、ＦＲＰに代えてシート状のアルミニウムを用いることが可能であることは前述の実施例１の下部収容空間Ｓ２と同様である。
蓋部材５０は、繊維強化プラスチック（ＦＲＰ）で形成されている。さらに、蓋部材５０の裏面には、シート状のアルミニウムが貼られていても良く、或いは、ゴム製やプラスチック樹脂製のパッキンがはめ込まれていても良い。
【００４６】
上構造部Ａの基本的な構成は、前述した、従来の組立式物置１と同様であり、上構造部Ａの枠部材１０は、上述した実施例１の構成と同様であるので、ここでは説明を省略する。
床面部材６０は、図９乃至図１１に示すように、枠部材１０の「ロ」字型の枠の中抜き部分を覆って枠部分に掛かる大きさの外形を有する板状に形成されている。
さらに、床面部材６０には、床面部材６０が枠部材１０に固定された際に、前記開口部４０が相当する位置に、床面部材６０の上面６１ｃと下面６１ａを貫通した貫通穴６２が形成されている。貫通穴６２は、開口部４０を密封する蓋部材５０の外径よりも僅かに大きな径で形成されている。
【００４７】
また、床面部材６０の下面６１ａには、上記枠部材１０の内側に嵌まるように形成された位置決め部材６１ｂが配されている。具体的には、位置決め部材６１ｂは、上記枠部材１０よりも僅かに小さな外形を有する板状部が形成されており、この位置決め部材６１ｂの板状部の外側面６１ｃが、枠部材１０の「ロ」字型の枠の内側面１０ａと嵌め合わされる。これにより、嵌め合わされた床面部材６０が位置決めされる（図９及び図１０参照）。
また、床面部材１２と枠部材１０は、双方の重なり部分にネジ穴が２３ｂ，２４ｃ設けられており、そのネジ穴にボルトが締め込まれることにより固定されている。
【００４８】
下構造部Ｂの蓋部材５０の突出環５２の外径面（外周面）５３と、上構造部Ａの床面部材６０の貫通穴６２の内周面６４とが、互いに嵌め合わされる嵌め合い構造３０を形成している。
このように嵌め合い構造３０が構成されることにより、上構造部Ａの床面部材１２を枠部材１０に固定した後に、蓋部材５０を開口部４０の筒状部４２の上端部４１にねじ込んだ場合に、蓋部材５０の突出環５２の外径面５３と、上構造部Ａの床面部材６０の貫通穴６２の内周面６４とが噛合わされることとなる（図１２参照）。言い換えれば、蓋部材５０を曲がってねじ込もうとした場合には、蓋部材５０の突出環５２の外径面５３が床面部材６０の貫通穴６２の内周面６４に衝突してしまい、蓋部材５０をねじ込むことができない。
また、蓋部材５０を開口部４０の筒状部４２の上端部４１にねじ込むことができる場合には、下部収容空間Ｓ２が密封されていることになり、使用者の作業ミスや不注意を防止することができるとともに、蓋部材５０が正確にねじ込まれて下部収容空間Ｓ２が密封されたことを確認する手間を省くことができる。
なお、本実施例では、開口部４０と蓋部材５０を円形状に設定したが、これに限定されることなく、開口部４０と蓋部材５０の形状は自由に設定可能である。例えば四角形状でも良いし、楕円形状でもよい。
【実施例３】
【００４９】
また、開口部４０を蓋部材５０で密封する手段として、蓋部材５０を開口部４０の筒状部４２の上端部４１にねじ込んだ場合を説明したが、これに限定されることなく、他の密封手段が採用されていても良い。例えば、蓋部材５０を開口部４０の筒状部４２の上端部４１に嵌め込むだけでも良い。
この場合には、図示を省略するが、開口部４０を床面部材６０の貫通穴６２の直下に位置するように配する。さらに、蓋部材５０の下端側を開口部４２の上端部４１に嵌め込み可能な形状するとともに、蓋部材５０の上端側を床面部材６０の貫通穴６２に嵌め合わすことが可能な形状とすれば良い。
【００５０】
また、上述した実施例１乃至実施例３では、下部収容空間Ｓ２が地下に配され、上部収容空間Ｓ１が地上に配されている例を説明したが、下部収容空間Ｓ１も地上に配することも可能である。この場合には、基礎部分の高さを高くするなどにより、上構造部Ａの床面部材１２と地面との間隔を大きめに設定しておき、床面部材１２，６０の下面１２ａ，６１ａの地上部分に、下部構造Ｂの下部構造部本体２０を懸架するように設置すれば良い。この場合であっても、上部構造Ａ及び下部構造Ｂは、上述した実施例１及び実施例２の構成を採用することができるので、その具体的な構成の説明は省略する。
【００５１】
なお、下部収容空間Ｓ１が地上に配されることにより、上述した実施例１及び実施例２の構成と比べて、周辺気温の変化の影響を受け易くなるが、下部構造Ｂの下部収容空間Ｓ２は、上部構造Ａの下に配されていることから、直射日光による下部収容空間Ｓ２の温度が上昇する虞は少なく、さらに、下部収容空間Ｓ２の開口部２２，４０が、蓋部材２４，５０によって密封され、下部収容空間Ｓ２に湿気などが侵入することもないので、下部収容空間Ｓ２に非常物資を使用可能な状態で保管することができる。
【００５２】
また、上述した実施例１乃至実施例３では、下構造部本体２０に単一の下部収容空間Ｓ２を形成した場合を説明したが、これに限定されず、下部収容空間Ｓ２は複数形成されていても良い。例えば、上構造部本体２１を大型に設定した場合には、上構造部Ａの床面部材１２を複数枚に分割するとともに、枠部材１０に床面部材１２を支える根太を増設したり、枠部材１０を複数並べたりすることがあり、このような場合には、根太や枠部材１０の枠を避けるように下部収容空間Ｓ２を複数設定するとともに、各下部収容空間Ｓ２毎に開口部２２，６２や蓋部材２４，５０が設けられていれば良い。
【００５３】
また、上構造部本体２１を大型に設定した場合には、下部収容空間を備えた物置１を災害時に一時的に退避するシェルターとして使用することもできる。このような用途で使用する場合には、図１３に示すように、下部収容空間を備えた物置１を家屋Ｈに隣接して設置するとともに、家屋Ｈと下部収容空間を備えた物置１を渡り廊下Ｒ等で連結しておくことが好ましい。
そして、地震や台風等の災害により家屋Ｈが倒壊しそうな場合には、渡り廊下Ｒを渡って迅速に下部収容空間を備えた物置１の上構造部Ａの上部収容空間Ｓ１に退避することができる。
【００５４】
このとき、下部収容空間を備えた物置１の上構造部Ａは、下構造部Ｂに支えられているので、強風が吹き付けても飛ばされることがなく、上構造部Ａは柱１１や壁部材１３が床面積に比して混んで建て付けられているため、地震の揺れに対しても強靭な耐久性を持つため、退避した家屋Ｈの住人を災害から守ることができる。
さらに、災害が過ぎ去った後に、家屋Ｈの倒壊等によって生活物資が使用不能になってしまった場合であっても、下構造部Ｂの下部収容空間Ｓ２に備蓄されている非常物資を取り出すことによって、救援を待つ間の自活手段とすることができる。
なお、図１３では、前述した実施例１の下部収容空間を備えた物置１を配した例を示したが、実施例２の下部収容空間を備えた物置１を配しても良い。
【００５５】
また、下部収容空間を備えた物置１は、小型に設定されても良い。この場合には、下部収容空間を備えた物置１の上構造部Ａは、宅配物等を一時収容しておくボックスや、庭作業道具等を収容しておく小型物置としての目的で使用することができ、下構造部Ｂの下部収容空間Ｓ２には非常物資を収容しておくことができる。この場合にも、非常物資は屋外に保管されているので、家屋が倒壊するような災害に被災した場合であっても、非常物資は使用可能で取り出すことができる。
【符号の説明】
【００５６】
１  物置
１０  枠部材
１２床面部材
６１ｃ  床面部材の上面
１２ａ，６１ａ  床面部材の下面
１２ｂ  床面部材の下面の位置決め部材
２０  下構造部本体
２２，４０  開口部
２４，５０  蓋部材
３０  嵌め合い構造
３０ａ  蓋部材の上面に形成された凸部
３０ｂ  床面部材の下面に形成された凹部
５２  蓋部材の突出環
６２  床面部材の上面と下面を貫通した穴
Ａ  上構造部
Ｂ  下構造部
Ｓ１  上部収容空間
Ｓ２  下部収容空間
【図１】
0003156992.tif 000003
【図２】
0003156992.tif 000004
【図３】
0003156992.tif 000005
【図４】
0003156992.tif 000006
【図５】
0003156992.tif 000007
【図６】
0003156992.tif 000008
【図７】
0003156992.tif 000009
【図８】
0003156992.tif 000010
【図９】
0003156992.tif 000011
【図１０】
0003156992.tif 000012
【図１１】
0003156992.tif 000013
【図１２】
0003156992.tif 000014
【図１３】
0003156992.tif 000015
【図１４】
0003156992.tif 000016
【図１５】
0003156992.tif 000017